(57)【要約】  【課題】屋上緑化の施工がなされる建築物の屋上部に設置されるソーラーパネルの高温下での発電効率の低下や劣化を好適に防止することができ、且つ屋上部における緑化用として用いられる貯水部の水の有効利用を図ることができる屋上緑化設備を提供することを課題とする。  【解決手段】屋上部において植物を植生させて緑化を行う水を貯留する緑化用貯水部と、屋上部に設置されたソーラーパネルと、前記緑化用貯水部に貯留された水をソーラーパネルに供給する水供給手段とを具備し、前記ソーラーパネルに供給された水は前記緑化用貯水部に返送可能であり、ソーラーパネルへの水の供給と、供給された水の緑化用貯水部への返送とを繰り返して、水が循環して使用されうるように構成されていることを特徴とする。【選択図】図１
2012075412.tif 000002
【特許請求の範囲】
【請求項１】
屋上部において植物を植生させて緑化を行う水を貯留する緑化用貯水部（２４）と、屋上部に設置されたソーラーパネル（１）と、前記緑化用貯水部（２４）に貯留された水をソーラーパネル（１）に供給する水供給手段とを具備し、前記ソーラーパネル（１）に供給された水は前記緑化用貯水部（２４）に返送可能であり、ソーラーパネル（１）への水の供給と、供給された水の緑化用貯水部（２４）への返送とを繰り返して、水が循環して使用されうるように構成されていることを特徴とする、ソーラーパネルを用いた屋上緑化の施工設備。
【請求項２】
ソーラーパネル（１）が、一端（１１ａ）側から他端（１１ｂ）側に向かって低くなるように傾斜した状態で屋上部に設置されており、水供給手段による水が、前記ソーラーパネル（１）の一端（１１ａ）側に供給されるように構成されている、請求項１記載のソーラーパネルを用いた屋上緑化の施工設備。
【発明の詳細な説明】
【技術分野】
【０００１】
本発明は、ソーラーパネルを用いた屋上緑化の施工設備、さらに詳しくは、ソーラーパネルを屋上部に設置する建築物において、その建築物の屋上部において緑化を行う施工設備に関する。
【背景技術】
【０００２】
周知のように、ソーラーパネルは、化石燃料から自然エネルギーへの転換を図る媒体として開発されたもので、戸建て住宅の傾斜屋根では、簡単な金具で取り付けが可能であり、比較的施工費を抑制して設置することが可能であるため、近年、急速に普及しつつある。
【０００３】
このようなソーラーパネルは、戸建て住宅のみならず、ビル等の巨大な建築物の屋上部においても設置されつつある。しかし、ビル等の巨大な建築物の屋上部では、６０℃程度まで温度が上昇するため、発電効率が低下するという問題がある。特に発電効率に優れた単結晶シリコンや多結晶シリコンからなるソーラーパネルは高温に弱いため、ビル等の巨大な建築物の屋上部に設置すると、比較的短期間に劣化するおそれもある。
【０００４】
一方、近年では都市緑化等の要請が高まり、それに応じて建築物の屋上を緑化する技術が開発され、普及しつつある。このような屋上緑化に関する技術の一例として、たとえば特許文献１のような特許出願がなされている。当該特許文献１の明細書の段落［０００２］にも記載されているように、屋上緑化は、コンクリート建造物の増加、エアコンによる外気放熱など種々の要因による都市部の異常な高温化によって生じるヒートアイランド現象を、直射日光の遮断効果や植物の蒸散作用によって抑制するものである。そして特許文献１に係る発明は、常緑性植物を定植した植物育成培地を用いた屋上緑化工法を対象としている。
【０００５】
また、屋上緑化を行うとともに、屋上部に上記のようなソーラーパネルを設置した技術として、たとえば特許文献２及び特許文献３のような特許出願がなされている。特許文献２に係る発明は、緑化設備が施された建築物の屋上に設置された電気設備機器のインターネットによる管理設備に係るものであり、特許文献３に係る発明は、空きビル等を利用して都市緑化が可能な農業施設を有するビルディングを提供するものである。
【０００６】
しかしながら、上記特許文献１にも記載されているように、屋上緑化は直射日光の遮断効果や植物の蒸散作用によってヒートアイランド現象を緩和するにすぎないものであるため、屋上緑化を行うことが、ビル等の巨大な建築物の屋上部での温度上昇を極端に低下させるわけではない。従って、上記特許文献２及び特許文献３のように、屋上緑化を施工する領域と、ソーラーパネルを設置する領域とを単に併備したような技術では、高温に弱いソーラーパネルの劣化という問題点を解決することはできない。
【先行技術文献】
【特許文献】
【０００７】
【特許文献１】特開２００６−１１２０４０号公報
【特許文献２】特開２００５−３３３７２３号公報
【特許文献３】特開２００５−２０７０８２号公報
【発明の概要】
【発明が解決しようとする課題】
【０００８】
本発明は、このような問題点を解決するためになされたもので、屋上緑化の施工がなされる建築物の屋上部に設置されるソーラーパネルの高温下での発電効率の低下や劣化を好適に防止することができ、且つ屋上部における緑化用として用いられる貯水部の水の有効利用を図ることができる屋上緑化設備を提供することを課題とするものである。
【課題を解決するための手段】
【０００９】
本発明は、このような課題を解決するために、屋上部において植物を植生させて緑化を行う水を貯留する緑化用貯水部と、屋上部に設置されたソーラーパネルと、前記緑化用貯水部に貯留された水をソーラーパネルに供給する水供給手段とを具備し、前記ソーラーパネルに供給された水は前記緑化用貯水部に返送可能であり、ソーラーパネルへの水の供給と、供給された水の緑化用貯水部への返送とを繰り返して、水が循環して使用されうるように構成されていることを特徴とする、ソーラーパネルを用いた屋上緑化の施工設備を提供するものである。
【００１０】
ソーラーパネルは、好ましくは、一端側から他端側に向かって低くなるように傾斜した状態で屋上部に設置され、水供給手段による水が、ソーラーパネルの一端側に供給されるように構成される。
【発明の効果】
【００１１】
本発明の屋上緑化の施工設備は、上述のように、屋上部において植物を植生させて緑化を行う水を貯留する緑化用貯水部と、屋上部に設置されたソーラーパネルと、前記緑化用貯水部に貯留された水をソーラーパネルに供給する水供給手段とを具備しているので、そのような水供給手段によって緑化用貯水部に貯留された水がソーラーパネルに供給され、それによってソーラーパネルが好適に冷却されることとなる。
【００１２】
従って、建築物の屋上部の温度が６０℃程度の高い温度まで上昇したとしても、ソーラーパネルが上記のような水供給手段によって供給される水によって好適に冷却されるので、ソーラーパネルの発電効率の低下を極力防止することができる。特に、発電効率に優れているが高温に弱い単結晶シリコンや多結晶シリコンからなる汎用性の高いソーラーパネルであっても、上記のような水供給手段によって供給される水によって好適に冷却されるので、そのような汎用性の高いソーラーパネルの劣化を好適に防止できるという効果がある。
【００１３】
しかも、ソーラーパネルに供給された水は緑化用貯水部に返送され、返送された水が水供給手段によって再度ソーラーパネルに供給され、ソーラーパネルへの水の供給と、供給された水の緑化用貯水部への返送とを繰り返して、水が循環して使用されうるように構成されているので、緑化用貯水部に貯留された水を繰り返して使用することができ、緑化用貯水部の水の有効利用を図ることができる。
【００１４】
特に、緑化用貯水部は、植物を植生させて屋上部において緑化を行う水を貯留するためのものであるが、そのような緑化用貯水部の水を、屋上部に併設されているソーラーパネルの冷却という全く別の目的のために有効に利用することができるという効果がある。
【図面の簡単な説明】
【００１５】
【図１】一実施形態の屋上緑化設備の全体的配設態様を示す概略平面図。
【図２】図１のＡ−Ａ線断面図。
【図３】図１のＢ−Ｂ線断面図。
【発明を実施するための形態】
【００１６】
本発明の屋上緑化の施工設備は、上述のように、屋上部において植物を植生させて緑化を行う水を貯留する緑化用貯水部と、屋上部に設置されたソーラーパネルと、前記緑化用貯水部に貯留された水をソーラーパネルに供給する水供給手段とを具備し、前記ソーラーパネルに供給された水は前記緑化用貯水部に返送可能であり、ソーラーパネルへの水の供給と、供給された水の緑化用貯水部への返送とを繰り返して、水が循環して使用されうるように構成されているものである。
【００１７】
本発明の屋上緑化の施工設備は、屋上部に適用されるものであり、建築物の種類は問うものではないが、傾斜屋根を有する戸建て住宅等よりも、むしろ平坦な屋上部を有するビル等の巨大な建築物の屋上部に好適に適用される。そのような巨大な建築物の屋上部は戸建て住宅の傾斜屋根等よりも高い温度に上昇するため、本発明を適用する実益があるからである。
【００１８】
また、ソーラーパネルの種類も特に限定されるものではないが、発電効率に優れる一方で、高温に比較的弱いことから、単結晶シリコンや多結晶シリコンからなるソーラーパネルに本発明を適用する実益があると考えられる。
【００１９】
さらに、ソーラーパネルを屋上部に設置させる手段は特に限定されるものではないが、たとえば複数の支持体にソーラーパネルを取り付けることによって設置することができる。この場合の支持体の形状、構造等も特に限定されるものではないが、後述するように、緑化用貯水部よりも高い位置に設置することで、容易に水を循環させることができるので、支柱のような支持体を介してソーラーパネルが設置されることが望ましい。
【００２０】
また、ソーラーパネルは、傾斜した状態で設置することが望ましい。この点、一般にソーラーパネルを設置する場合にも、太陽光を受けるのに好適な角度を考慮して傾斜した状態とされるが、本発明においては、ソーラーパネルに供給された水が、ソーラーパネル上を流れて緑化用貯水部へ返送されるようにするために、傾斜した状態で設置することの意義がある。このためには、水供給手段からの水は、傾斜した状態で設置されたソーラーパネルの高い一端側に供給されることが望ましい。
【００２１】
また、屋上緑化の施工に用いられる植物の種類も限定されるものではないが、たとえば緑化用貯水部内に植物を植生させて、緑化用貯水部にあたかも池のような景観を具備させる場合には、水性植物や湿性植物を用いるのが望ましい。これらの植物以外には、たとえばグランドカバー植物等を用いることも可能である。さらに、緑化用貯水部に貯留された水をソーラーパネルに供給すべく循環させる水供給手段としては、たとえばポンプのようなものが用いられる。
【００２２】
次に、本発明のより具体的な実施形態について、図面に従って説明する。図１は、一実施形態の屋上緑化の施工設備を示す概略平面図、図２は図１のＡ−Ａ線概略断面図、図３は図１のＢ−Ｂ線概略断面図である。
【００２３】
本実施形態の屋上緑化の施工設備においては、図１に示すように、複数のソーラーパネル１が所定間隔ずつ隔てて並設されており、並設された複数のソーラーパネル１，１・・・間には、平面視において多数の植栽ユニット２が２列ずつ配置されている。この植栽ユニット２は、たとえば合成樹脂等で箱状等に形成されたものであり、その植栽ユニット２内に土壌等の植栽基盤や植物等が植栽されるものである。また、前記複数のソーラーパネル１，１・・・間に２列ずつ配置された多数の植栽ユニット２と交差する方向にも植栽ユニット２が多数配置されている。これらの多数の植栽ユニット２によって、前記複数のソーラーパネル１が包囲されるような状態とされている。ソーラーパネル１は、図１に示すように、複数のソーラーパネルユニット１ａを組み合わせることによって構成されている。
【００２４】
前記多数の植栽ユニット２のさらに外側には、周壁体３が立設されており、該周壁体３によって植栽ユニット２やソーラーパネル１が包囲された状態とされている。すなわち、この周壁体３は、施工区域の外壁をなすように配置されている。そして、周壁体３で包囲された施工区域の全域に水８が貯留され、その周壁体３で包囲された全域が緑化用貯水部２４として構成されている。図１の平面視の状態においては、多数の植栽ユニット２と周壁体３との間の部分が緑化用貯水部２４の一部として図示され、緑化用貯水部２４の全体が図示されていないが、図２及び図３においては、周壁体３で包囲された全域に水８が貯留されていることが図示されている。
【００２５】
図２及び図３に示すように、屋上面を形成している基礎コンクリート４の上部に、コンクリートで構成された架台基礎５が設置されており、その架台基礎５の上面には、繊維強化プラスチック（以下、ＦＲＰという）からなる防水層６が設けられている。
【００２６】
緑化用貯水部２４の水８は、上記のように周壁体３で包囲された全域に貯留されているので、図２及び図３に示すように、架台基礎５が設けられた部分において水８が貯留されており、さらに架台基礎５が設けられていない水深部７においても水８が貯留されている。緑化用貯水部２４に貯留される水としては、雨水や灌水の余剰水等を利用することができる。
【００２７】
前記架台基礎５の上面に設けられている防水層６は、図２及び図３に示すように、水深部７を経て周壁体３まで延出されている。従って、前記架台基礎５の上面が防水層６で被覆されているだけでなく、水深部７の底面や周壁体３も防水層６で被覆されている。このように、架台基礎５の上面、水深部７の底面、及び周壁体３がすべて防水層６で被覆されていることによって、周壁体３で包囲された緑化用貯水部２４の全域に水を貯留することが可能となるのである。
【００２８】
水深部７内には、図２に示すように、水中ポンプ９が設置されている。この水中ポンプ９は、緑化用貯水部２４内に貯留された水を循環させるためのポンプである。水中ポンプ９は、それ自体に駆動源を有するが、その水中ポンプ９の動力はソーラーパネルによっても補われる。
【００２９】
さらに、前記架台基礎５には、図２に示すように、高さの異なる３本の支柱１０ａ、１０ｂ、１０ｃが立設されており、３本の支柱１０ａ、１０ｂ、１０ｃに、ソーラーパネル１が取り付けられている。このように、高さの異なる３本の支柱１０ａ、１０ｂ、１０ｃに取り付けられていることによって、ソーラーパネル１は、高い支柱１０ａで支持された一端１１ａ側から、低い支柱１０ｃで支持された他端１１ｂ側にかけて下向きに傾斜した状態となるように設置されている。
【００３０】
また前記水中ポンプ９には、灌水パイプ１２が接続されており、該灌水パイプ１２の先端部１２ａが前記ソーラーパネル１の一端１１ａ側に取り付けられている。
【００３１】
さらに、ソーラーパネル１の下部における貯水部分であって架台基礎５の上面には、図２に示すように水性植物１３が植栽されており、また架台基礎５の上面の別の箇所には、植栽ユニット２が載置されているとともに、その植栽ユニット２に湿生植物１５が植栽されている。また水深部７においても、別の水性植物１６が植栽されている。
【００３２】
またソーラーパネル１が設置されていない領域における貯水部分であって、架台基礎５の中央部分の上面には、図３に示すように複数の支持ユニット１７（図３においては計７個）が載置されている。その複数の支持ユニット１７のうち、中央の３個の支持ユニット１７には別の２個の支持ユニット１８、１８が載置されており、さらにその２個の支持ユニット１８、１８上には、植栽ユニット２が載置されており、その植栽ユニット２には、グランドカバー植物２０が植栽されている。
【００３３】
さらに、前記計７個の支持ユニット１７のうち、両側の２個ずつの支持ユニット１７、１７上には、前記支持ユニット１８を介さずに直接植栽ユニット２が載置されており、該植栽ユニット２にグランドカバー植物２０が植栽されている。
【００３４】
さらに、架台基礎５の両側の部分においては、支持ユニット１７、１８を介さずに直接植栽ユニット２が２個ずつ載置されており、該両側の２個の植栽ユニット２には、それぞれ別の湿生植物２１、２２が植栽されている。さらに、水深部７には、水性植物２３が植栽されている。これら支持ユニット１７、１８や、植栽ユニット２としては、たとえば合成樹脂製のものを用いることができる。
【００３５】
上述のように、平面視の状態を示す図１では、多数の植栽ユニット２が配置された状態のみが示されているが、実際には図２及び図３に示すように、上記支持ユニット１７、１８によって段差を設けて複数の植栽ユニット２が設置されている。従って、立体的な緑化の施工がなされていることとなる。
【００３６】
上記のような屋上緑化の施工設備において、ソーラーパネル１を冷却する場合には、水深部７に設置された水中ポンプ９を駆動させると、緑化用貯水部２４の水は、灌水パイプ１２を介して該灌水パイプ１２の先端部１２ａが取り付けられたソーラーパネル１の一端１１ａ側に供給されることとなる。
【００３７】
この場合において、ソーラーパネル１は、一端１１ａ側から他端１１ｂ側にかけて下向きに傾斜した状態となるように設置されているので、ソーラーパネル１の一端１１ａ側に供給された水は、該ソーラーパネル１の一端１１ａ側から他端１１ｂ側に向かって流れることとなり、該ソーラーパネル１の他端１１ｂ側から緑化用貯水部２４に落下することとなる。
【００３８】
ソーラーパネル１の他端１１ｂ側から緑化用貯水部２４に落下した水は、再度水中ポンプ９によって汲み上げられ、灌水パイプ１２を介してソーラーパネル１に供給されることとなる。
【００３９】
このようにして、緑化用貯水部２４で貯留された水を水中ポンプ９の駆動により灌水パイプ１２を介してソーラーパネル１に供給すること、供給された水をソーラーパネル１の一端１１ａ側から他端１１ｂ側に向かって流すこと、その水をソーラーパネル１の他端１１ｂ側から緑化用貯水部２４に落下させることの操作を繰り返すことによって、ソーラーパネル１が好適に冷却されることとなる。
【００４０】
このように、緑化用貯水部２４に貯留された水は繰り返して使用することができ、ソーラーパネル１の冷却のために循環的に利用されることとなる。従って、本来は水性植物や湿生植物等を植生させるために屋上部に設置された緑化用貯水部２４の水を、ソーラーパネル１の冷却という全く別の目的のために有効に利用することができることとなる。
【００４１】
また、上記のような水の循環利用により、ソーラーパネル１は好適に冷却されることとなる。従って、建築物の屋上部の温度が６０℃程度の高い温度まで上昇したとしても、ソーラーパネル１の発電効率の低下を極力防止することができることとなる。
【００４２】
さらに、このようなソーラーパネル１の冷却のための水を貯留する緑化用貯水部２４には、上記のように各種の植物が植栽されているので、これらの種々の植物によって、あたかも池に植物が植生しているような景観を付与することができ、変化に富んだ景観を都市部におけるビル等の建築物の屋上部において現出することができることとなる。
【符号の説明】
【００４３】
１  ソーラーパネル
９  水中ポンプ
１０ａ、１０ｂ、１０ｃ  支柱
１１ａ  一端
１１ｂ  他端
２４  緑化用貯水部
【図１】
2012075412.tif 000003
【図２】
2012075412.tif 000004
【図３】
2012075412.tif 000005